(57)【要約】  【課題】  レンズホルダが支軸に対して円滑に摺動できる光ピックアップアクチュエータを提供する。  【解決手段】  アクチュエータは、基台１と、レンズホルダ２より構成される。基台１上には、支軸３、及び支軸３を挟んで互いに対向する一対の永久磁石４、４が立設されている。レンズホルダ２は、対物レンズ５を保持して、永久磁石４、４同士の間で支軸３に軸方向及び周方向で摺動可能に支持されるとともに、支軸３に対して同軸状にフォーカス用コイル６がエポキシ樹脂の接着剤によって固着されている。レンズホルダ２は、円筒部２２と、円筒部２２を同軸状に取り囲む枠部２３とを有する。枠部２３にはフォーカス用コイル６が外挿され、円筒部２２の内穴には支軸３が摺動可能に挿入される。枠部２３の構成要素である一対の短辺部２３ａには、切れ込み２３ｃが形成されている。【選択図】      図３
2006351068.tif 000002
【特許請求の範囲】
【請求項１】
支軸、及びこの支軸を挟んで互いに対向する一対の永久磁石が立設された基台と、
対物レンズを保持して、前記永久磁石同士の間で前記支軸に軸方向及び周方向で摺動可
能に支持されるとともに、前記支軸に対して同軸状にフォーカス用コイルがエポキシ樹脂
の接着剤によって固着され、前記フォーカス用コイルの外方で前記各永久磁石それぞれに
対向する一対のトラッキング用コイルがエポキシ樹脂の接着剤によって固着されたレンズ
ホルダと、を備えた光ピックアップアクチュエータであって、
前記レンズホルダは、
内穴に前記支軸が摺動可能に挿入される円筒部と、
この円筒部の外周から四方それぞれに向けて突出し、各々を四隅として前記フォーカス
用コイルが外挿される４つの突起部と、を有する光ピックアップアクチュエータにおいて
、
前記レンズホルダは、前記突起部に代えて、
前記円筒部を同軸状に取り囲み、前記フォーカス用コイルが外挿される矩形の枠部を有
し、
前記枠部が、前記各永久磁石にそれぞれ対向する一対の短辺部と、この各短辺部と垂直
な一対の長辺部と、より成り、
前記各短辺部には、接着剤の硬化収縮による変形を許容する切れ込みが前記支軸と平行
に１つずつ形成されていることを特徴とする光ピックアップアクチュエータ。
【請求項２】
支軸、及びこの支軸を挟んで互いに対向する一対の永久磁石が立設された基台と、
対物レンズを保持して、前記永久磁石同士の間で前記支軸に軸方向及び周方向で摺動可
能に支持されるとともに、前記支軸に対して同軸状にフォーカス用コイルが熱硬化性樹脂
の接着剤によって固着されたレンズホルダと、を備えた光ピックアップアクチュエータに
おいて、
前記レンズホルダは、
内穴に前記支軸が摺動可能に挿入される円筒部と、
この円筒部を同軸状に取り囲み、前記フォーカス用コイルが外挿される矩形の枠部と、
を有し、
前記枠部には、接着剤の硬化収縮による変形を許容する切れ込みが形成されていること
を特徴とする光ピックアップアクチュエータ。
【請求項３】
前記枠部が、前記各永久磁石にそれぞれ対向する一対の短辺部と、この各短辺部と垂直
な一対の長辺部と、より成り、
前記切れ込みは、前記各短辺部に前記支軸と平行に形成されていることを特徴とする請
求項２に記載の光ピックアップアクチュエータ。
【請求項４】
前記レンズホルダには、前記フォーカス用コイルの外方で前記各永久磁石それぞれに対
向する一対のトラッキング用コイルが熱硬化性樹脂の接着剤によって固着されることを特
徴とする請求項２又は３に記載の光ピックアップアクチュエータ。
【請求項５】
前記接着剤がエポキシ樹脂の接着剤であることを特徴とする請求項２〜４のいずれかに
記載の光ピックアップアクチュエータ。
【発明の詳細な説明】
【技術分野】
【０００１】
本発明は、情報記録媒体であるＣＤやＤＶＤ等の光ディスクに対して情報の再生や記録
を行うための光ピックアップ装置に搭載される光ピックアップアクチュエータに関する。
【背景技術】
【０００２】
光ピックアップ装置では、半導体レーザーから出射されたレーザー光を対物レンズを通
じて光ディスクの記録面上に高精度に集光させることが要求されるため、これを実現する
構成として光ピックアップアクチュエータ（以下、単に「アクチュエータ」と記すことが
ある）が不可欠である。
【０００３】
アクチュエータとしては、対物レンズを保持したレンズホルダが基台に固定の支軸に対
して軸方向及び周方向で摺動可能に支持された、いわゆる軸摺動方式のものがある。この
種のアクチュエータでは、一般に、電磁気的な作用でレンズホルダを駆動させて対物レン
ズに対するフォーカス調整及びトラッキング調整が行えるように、レンズホルダに固定の
フォーカス用コイル及びトラッキング用コイルと、レンズホルダの両側方で基台に固定の
一対の永久磁石と、を備えている。そのフォーカス用コイルに電流を印加することで、支
軸に沿ってレンズホルダが摺動しながら移動してフォーカス調整がなされ、他方トラッキ
ング用コイルに電流を印加することで、支軸を中心にレンズホルダが摺動しながら回動し
てトラッキング調整がなされるわけである。
【０００４】
このようなアクチュエータの従来の具体的な構成について（例えば特許文献１参照）、
図５〜図８を参照しながら説明する。図５は従来のアクチュエータの外観を示す上面図、
図６はそのアクチュエータのＢ−Ｂ断面を示す縦断面図、図７はそのアクチュエータにお
けるレンズホルダの下面図、図８はそのレンズホルダを下面側から見た分解斜視図である
。これらの図に示すように、従来のアクチュエータは、大きくは、基台１と、レンズホル
ダ２とより構成される。
【０００５】
基台１は、光ピックアップ装置における半導体レーザーや光学系や光検出器等が装着さ
れた可動部材（不図示）に固定されるものであって、ステンレス等の金属板から板金成形
されて成る。その基台１上には、ほぼ中央に円柱状の支軸３が立設され、この支軸３と平
行でこれを挟むように所定間隔をあけて互いに対向する一対の永久磁石４、４が立設され
ている。これらの各永久磁石４、４は、各々の外面が、基台１から折曲形成された突片（
不図示）に磁着されることで、基台１と一体化されている。なお、図６中の１ａはレーザ
ー光を通過させる貫通穴である。
【０００６】
続いて、レンズホルダ２は、ＬＣＰ（液晶ポリマー）等の樹脂から成型されて成るもの
であり、その一端部２１（図５〜図７では右側の部分）に対物レンズ５が保持されている
。また、レンズホルダ２の下面の中央には、対物レンズ５の光軸方向（図５及び図７では
紙面に垂直な方向で、図６では上下方向）と平行で基台１上の支軸３とほぼ同径の内径を
有する円筒部２２が形成されており、この円筒部２２の内穴はレンズホルダ２そのものを
貫通している。この円筒部２２の内穴には、基台１の支軸３が挿入される。
【０００７】
また、レンズホルダ２には、円筒部２２の外周から四方それぞれに向けて４つの突起部
２５が対称的に突出している。４つの突起部２５には、これらを四隅として取り巻くよう
にフォーカス用コイル６が外挿されている。そして、このフォーカス用コイル６の内周と
、円筒部２２の外周と、各突起部２５とで形成される隙間に、熱硬化性樹脂例えばエポキ
シ樹脂の接着剤が充填され、この接着剤の硬化により、フォーカス用コイル６はレンズホ
ルダ２に固着される。こうして、フォーカス用コイル６が円筒部２２に対して同軸状にな
る。
【０００８】
また、フォーカス用コイル６の外方であるレンズホルダ２の両側（図５及び図７では左
右方向に延在する上下の縁部分）には、フォーカス用コイル６の外周に隣接して、それぞ
れトラッキング用コイル７、７が熱硬化性樹脂の接着剤で固着される。
【０００９】
なお、図６に示すように、そのフォーカス用コイル６の下端には、中央に略矩形の貫通
穴を有する平板状の磁性片８が、その貫通穴の四隅を各突起部２５で位置決めされた状態
で外挿されている。この磁性片８も、フォーカス用コイル６と共に、熱硬化性樹脂の接着
剤によってレンズホルダ２に固着される。
【００１０】
このような構成のもと、レンズホルダ２は、その円筒部２２の内穴が基台１の支軸３に
挿入され、各永久磁石４、４同士の間で、支軸３に対し軸方向及び周方向で摺動可能に支
持されるようになる。併せて、磁性片８と各永久磁石４、４との磁気引力の作用によって
、各トラッキング用コイル７、７が各永久磁石４、４と対向しつつ、レンズホルダ２その
ものが浮上した状態に維持される。しかもその状態では、磁性片８は、各永久磁石４、４
からの磁束を有効に引き込んで、両者の間に配置されたフォーカス用コイル６及びトラッ
キング用コイル７、７に高密度の磁束を与え、これにより、レンズホルダ２の駆動効率を
高める役割を果たす。
【特許文献１】特開２００１−２３２０８号公報
【発明の開示】
【発明が解決しようとする課題】
【００１１】
しかし、上記した従来のアクチュエータでは、フォーカス用コイル６を固着するための
接着剤が円筒部２２の周囲に広範に存在していることから、その接着剤の硬化に伴う収縮
により、円筒部２２がその収縮力を直接受けていた。そのため、円筒部２２に変形が起こ
り、円筒部２２の内穴の寸法精度にまで影響してしまうおそれがあった。円筒部２２の内
穴の寸法精度が悪化すると、支軸３との円滑な摺動が妨げられ、その結果、フォーカス調
整やトラッキング調整に支障を来たしてしまう。
【００１２】
そこで本発明は、上記の問題に鑑みてなされたものであり、レンズホルダが支軸に対し
て円滑に摺動できる光ピックアップアクチュエータを提供することを目的とするものであ
る。
【課題を解決するための手段】
【００１３】
上記目的を達成するため、本発明による光ピックアップアクチュエータは、支軸、及び
この支軸を挟んで互いに対向する一対の永久磁石が立設された基台と、対物レンズを保持
して、前記永久磁石同士の間で前記支軸に軸方向及び周方向で摺動可能に支持されるとと
もに、前記支軸に対して同軸状にフォーカス用コイルがエポキシ樹脂の接着剤によって固
着され、前記フォーカス用コイルの外方で前記各永久磁石それぞれに対向する一対のトラ
ッキング用コイルがエポキシ樹脂の接着剤によって固着されたレンズホルダと、を備えた
光ピックアップアクチュエータであって、前記レンズホルダは、内穴に前記支軸が摺動可
能に挿入される円筒部と、この円筒部の外周から四方それぞれに向けて突出し、各々を四
隅として前記フォーカス用コイルが外挿される４つの突起部と、を有する光ピックアップ
アクチュエータにおいて、次の点を特徴とする。前記レンズホルダは、前記突起部に代え
て、前記円筒部を同軸状に取り囲み、前記フォーカス用コイルが外挿される矩形の枠部を
有し、前記枠部が、前記各永久磁石にそれぞれ対向する一対の短辺部と、この各短辺部と
垂直な一対の長辺部と、より成る。そして、前記各短辺部には、接着剤の硬化収縮による
変形を許容する切れ込みが前記支軸と平行に１つずつ形成されている。
【００１４】
このような構成にすると、フォーカス用コイルを固着するための接着剤が硬化に伴って
収縮した場合、枠部がその収縮力を直接受けて変形することになる。その際、切れ込みに
より、枠部の変形が柔軟に許容される。そうすると、筒状部には接着剤の硬化に伴う収縮
力は一切伝わらず、支軸と摺動する円筒部の内穴の寸法精度は安定して確保される。
【００１５】
また、上記目的を達成するための本発明による光ピックアップアクチュエータは、支軸
、及びこの支軸を挟んで互いに対向する一対の永久磁石が立設された基台と、対物レンズ
を保持して、前記永久磁石同士の間で前記支軸に軸方向及び周方向で摺動可能に支持され
るとともに、前記支軸に対して同軸状にフォーカス用コイルが熱硬化性樹脂の接着剤によ
って固着されたレンズホルダと、を備えた光ピックアップアクチュエータにおいて、にお
いて、次の点を特徴とする。前記レンズホルダは、内穴に前記支軸が摺動可能に挿入され
る円筒部と、この円筒部を同軸状に取り囲み、前記フォーカス用コイルが外挿される矩形
の枠部と、を有する。そして、前記枠部には、接着剤の硬化収縮による変形を許容する切
れ込みが形成されている。
【００１６】
このような構成にすると、フォーカス用コイルを固着するための接着剤が硬化に伴って
収縮した場合、枠部がその収縮力を直接受けて変形することになる。その際、切れ込みに
より、枠部の変形が柔軟に許容される。そうすると、筒状部には接着剤の硬化に伴う収縮
力は一切伝わらず、支軸と摺動する円筒部の内穴の寸法精度は安定して確保される。
【００１７】
ここで、実用性を踏まえると、前記枠部が、前記各永久磁石にそれぞれ対向する一対の
短辺部と、この各短辺部と垂直な一対の長辺部と、より成り、前記切れ込みは、前記各短
辺部に前記支軸と平行に形成されていることが好ましい。
【００１８】
また、前記レンズホルダには、前記フォーカス用コイルの外方で前記各永久磁石それぞ
れに対向する一対のトラッキング用コイルが熱硬化性樹脂の接着剤によって固着されるこ
とが好ましい。前記接着剤がエポキシ樹脂の接着剤であることが好ましい。
【発明の効果】
【００１９】
本発明の光ピックアップアクチュエータによれば、円筒部の内穴の寸法精度は安定して
確保されるため、レンズホルダにおける円筒部の内穴と基台における支軸とは円滑に摺動
でき、結果として、フォーカス調整やトラッキング調整が安定して行える。
【発明を実施するための最良の形態】
【００２０】
以下に、本発明の光ピックアップアクチュエータの一実施形態について、図面を参照し
ながら詳述する。図１は本発明の一実施形態のアクチュエータの外観を示す上面図、図２
はそのアクチュエータのＡ−Ａ断面を示す縦断面図、図３はそのアクチュエータにおける
レンズホルダの下面図、図４はそのレンズホルダを下面側から見た分解斜視図である。な
お、これらの図中、図５〜図８と同じ名称で同じ機能を果たす部分には同一の符号を付し
、重複する説明は適宜省略する。
【００２１】
本実施形態のアクチュエータでは、従来のアクチュエータと比較して、基台１の構成に
ついては同じであるが、レンズホルダ２の構成が以下に示す点で大きく異なる。
【００２２】
本実施形態でのレンズホルダ２には、従来のレンズホルダ２における突起部２５に代え
て、円筒部２２を取り囲むように円筒部２２と同軸状で矩形の枠部２３が形成されている
。この枠部２３は、その外周がフォーカス用コイル６の内周とほぼ同じ輪郭形状を有する
ものであって、レンズホルダ２の両側に沿った（図１〜図３では左右方向）一対の短辺部
２３ａと、これと垂直な（図１及び図３では上下方向で、図２では紙面に垂直な方向）一
対の長辺部２３ｂとを有する。ここでの各短辺部２３ａには、円筒部２２（支軸３）と平
行すなわち上下方向に切れ込み２３ｃが１つずつ形成されている。
【００２３】
枠部２３には、これを取り巻くようにフォーカス用コイル６が外挿される。そして、枠
部２３の外周に予め塗布された熱硬化性樹脂例えばエポキシ樹脂の接着剤が硬化すること
により、フォーカス用コイル６は枠部２３すなわちレンズホルダ２に固着される。こうし
て、フォーカス用コイル６が円筒部２２に対して同軸状になる。
【００２４】
このような構成では、フォーカス用コイル６を固着するための接着剤が硬化に伴って収
縮した場合、枠部２３がその収縮力を直接受けて変形することになる。その際、切れ込み
２３ｃにより、枠部２３の変形が柔軟に許容される。そうすると、枠部２３の内方の筒状
部２２には接着剤の硬化に伴う収縮力は一切伝わらず、支軸３と摺動する円筒部２２の内
穴の寸法精度は安定して確保される。従って、レンズホルダ２における円筒部２２の内穴
と基台１における支軸３とは円滑に摺動でき、結果として、フォーカス調整やトラッキン
グ調整が安定して行える。
【００２５】
なお、図２に示すように、そのフォーカス用コイル６の下端には、枠部２３の外周とほ
ぼ同じ輪郭形状で矩形の貫通穴を中央に有する平板状の磁性片８が、その貫通穴の四隅を
枠部２３の四角で位置決めされた状態で外挿されている。この磁性片８も、フォーカス用
コイル６と共に、熱硬化性樹脂の接着剤によってレンズホルダ２に固着される。
【００２６】
その他本発明は上記の実施形態に限定されず、本発明の趣旨を逸脱しない範囲で、種々
の変更が可能である。例えば、接着剤の硬化収縮による枠部２３の変形を柔軟に許容でき
る限り、切れ込み２３ｃは、各短辺部２３ａに複数ずつ形成されても構わないし、長辺部
２３ｂに形成されてもよい。
【産業上の利用可能性】
【００２７】
本発明は、光ピックアップ装置に搭載される光ピックアップアクチュエータに有用であ
る。
【図面の簡単な説明】
【００２８】
【図１】本発明の一実施形態のアクチュエータの外観を示す上面図である。
【図２】図１のアクチュエータのＡ−Ａ断面を示す縦断面図である。
【図３】図１のアクチュエータにおけるレンズホルダの下面図である。
【図４】図１のレンズホルダを下面側から見た分解斜視図である。
【図５】従来のアクチュエータの外観を示す上面図である。
【図６】図５のアクチュエータのＢ−Ｂ断面を示す縦断面図である。
【図７】図５のアクチュエータにおけるレンズホルダの下面図である。
【図８】図５のレンズホルダを下面側から見た分解斜視図である。
【符号の説明】
【００２９】
１    基台
２    レンズホルダ
３    支軸
４    永久磁石
５    対物レンズ
６    フォーカス用コイル
７    トラッキング用コイル
８    磁性片
２２    円筒部
２３    枠部
２３ａ    短辺部
２３ｂ    長辺部
２３ｃ    切れ込み
【図１】
2006351068.tif 000003
【図２】
2006351068.tif 000004
【図３】
2006351068.tif 000005
【図４】
2006351068.tif 000006
【図５】
2006351068.tif 000007
【図６】
2006351068.tif 000008
【図７】
2006351068.tif 000009
【図８】
2006351068.tif 000010